(57)【要約】【課題】  ２つのトレイが上下方向に重なったシート搬送装置において、上側に設けられたトレイに載置されたシートの斜行を抑制する。【解決手段】  幅方向一端側に設けられた第１壁部７３は、その上端７３Ａが第２トレイ７２より高く、かつ、第２端部Ｅ２側から第１端部Ｅ１側に向けて延びている。したがって、第１壁部７３を第２トレイ７２に載置されたシートの斜行を抑制するガイド部材として機能させることができる。【選択図】  図４
2014148374.tif 000002
【特許請求の範囲】
【請求項１】
シートが載置可能な第１トレイと、
シートが載置可能な第２トレイであって、前記第１トレイの上方側に設けられた第２トレイと、
前記第１トレイ及び前記第２トレイのうちいずれか一方のトレイに載置されているシートを他方のトレイに搬送する搬送部であって、前記一方のトレイに対して搬送方向前進側にずれた位置に設けられた搬送部とを備え、
前記第１トレイの端部のうち前記搬送部と反対側の端部を第１端部とし、かつ、前記第２トレイの端部のうち前記搬送部と反対側の端部を第２端部としたとき、
前記第２端部は、前記第１端部より前記搬送部側に位置しており、
前記第１端部は、前記第２端部より高く、
さらに、前記第２トレイの幅方向一端側には、上端が前記第２トレイより高く、かつ、前記第２端部側から前記第１端部側に向けて延びた第１壁部であって、前記第１トレイに対して不動な第１壁部が設けられていることを特徴とするシート搬送装置。
【請求項２】
前記第１トレイは前記第１端部に近づくほど高くなっており、
前記第１トレイの前記第１端部側のうち、前記第２端部と同一高さの位置を第１位置としたとき、
前記第１壁部は、少なくとも前記第２端部側から前記第１位置側までは延びていることを特徴とする請求項１に記載のシート搬送装置。
【請求項３】
前記第１トレイに載置されるシートの幅方向端部に接触して当該シートの斜行を抑制する第１案内部であって、前記第１トレイに対して幅方向に移動可能な第１案内部を備え、
前記第１案内部の上部には、前記第２トレイの少なくとも一部が一体化されていることを特徴とする請求項１又は２に記載のシート搬送装置。
【請求項４】
前記第２トレイに載置されるシートの幅方向端部に接触して当該シートの斜行を抑制する第２案内部であって、前記第１案内部と一体的に移動する第２案内部を備え、
前記第１案内部及び第２案内部のうち前記他方のトレイに載置されたシートの斜行を抑制する案内部は、前記第１案内部及び第２案内部のうち前記一方のトレイに載置されたシートの斜行を抑制する案内部より幅方向外側に位置していることを特徴とする請求項３に記載のシート搬送装置。
【請求項５】
前記第１案内部に対して前記第１端部側にずれた位置であって、前記第１トレイの幅方向端部のうち前記第１案内部と同一側の端部には、当該端部から幅方向中央側に位置する第２壁部が設けられていることを特徴とする請求項３又は４に記載のシート搬送装置。
【請求項６】
前記第１トレイに対して固定された第３案内部であって、前記第１トレイに載置されるシートの幅方向端部に接触して当該シートの斜行を抑制する第３案内部を備え、
前記第３案内部は、前記第１トレイの幅方向端部側のうち前記第１壁部側であって、前記第１壁部より幅方向中央側に設けられていることを特徴とする請求項１ないし５のいずれか１項に記載のシート搬送装置。
【請求項７】
前記第３案内部は、前記第１トレイに載置されるシートの搬送方向と平行な方向に沿って、前記第２端部を超えて前記第１端部側に向けて延びていることを特徴とする請求項６に記載のシート搬送装置。
【請求項８】
前記第１壁部の壁面と前記第２トレイの載置面とは、隙間無く連続していることを特徴とする請求項１ないし７のいずれか１項に記載のシート搬送装置。
【請求項９】
前記第２トレイは、幅方向一端側に位置する一端側トレイ部、及び前記一端側トレイ部と離間して幅方向他端側に位置する他端側トレイ部を有していることを特徴とする請求項１ないし８のいずれか１項に記載のシート搬送装置。
【請求項１０】
前記第１壁部の壁面は、前記第２端部側から前記第１端部側まで延びた平面状であることを特徴とする請求項１ないし９のいずれか１項に記載のシート搬送装置。
【請求項１１】
前記搬送部の上方側を覆うカバーの覆い面と前記第１壁部の上端に連なる上端面とは同じ高さであることを特徴とする請求項１ないし１０のいずれか１項に記載のシート搬送装置。
【請求項１２】
幅方向において前記第１壁部を挟んで前記第１トレイと反対には、電気線が配設されていることを特徴とする請求項１ないし１１のいずれか１項に記載のシート搬送装置。
【請求項１３】
前記搬送部は、前記第１トレイに載置されているシートを前記第２トレイに搬送することを特徴とする請求項１ないし１２のいずれか１項に記載のシート搬送装置。
【発明の詳細な説明】
【技術分野】
【０００１】
本発明は、シート搬送装置に関する。
【背景技術】
【０００２】
例えば、特許文献１に記載の発明では、排出トレイとして機能する一対の仕切板が、給紙トレイの上方側に配設されている。当該仕切板は、給紙トレイに対して幅方向に移動可能となっている。そして、一対の仕切板には、給紙トレイに載置されているシートの斜行を抑制する原稿ガイドが一体成形されている。
【先行技術文献】
【特許文献】
【０００３】
【特許文献１】特開２０１２−１２６５３０号公報
【発明の概要】
【発明が解決しようとする課題】
【０００４】
ところで、排出トレイ及び給紙トレイに載置された斜行を抑制するには、排出トレイ及び給紙トレイに載置されるシートの幅方向端部に接触して当該シートの斜行を抑制するガイド部材を設けること必要がある。
【０００５】
しかし、特許文献１に記載の発明では、排出トレイのうちシートの搬送方向と平行な部位の外形寸法が、給紙トレイより小さいので、排出トレイに十分な長さを有するガイド部材を設けることができない。
【０００６】
つまり、特許文献１に記載の発明では、上側に設けられたトレイに載置されたシートの斜行を抑制することが難しい。このような課題は、上側を給紙トレイとし、下側を排紙トレイとした場合においても同様に生じる可能性がある。
【０００７】
本発明は、上記点に鑑み、２つのトレイが上下方向に重なったシート搬送装置において、上側に設けられたトレイに載置されたシートの斜行を抑制することを目的とする。
【課題を解決するための手段】
【０００８】
本発明は、上記目的を達成するために、シートが載置可能な第１トレイ（７１）と、シートが載置可能な第２トレイであって、第１トレイ（７１）の上方側に設けられた第２トレイ（７２）と、第１トレイ（７１）及び第２トレイ（７２）のうちいずれか一方のトレイ（７１）に載置されているシートを他方のトレイ（７２）に搬送する搬送部であって、一方のトレイ（７１）に対して搬送方向前進側にずれた位置に設けられた搬送部（６１）とを備え、第１トレイ（７１）の端部のうち搬送部（６１）と反対側の端部を第１端部（Ｅ１）とし、かつ、第２トレイ（７２）の端部のうち搬送部（６１）と反対側の端部を第２端部（Ｅ２）としたとき、第２端部（Ｅ２）は、第１端部（Ｅ１）より搬送部（６１）側に位置しており、第１端部（Ｅ１）は、第２端部（Ｅ２）より高く、さらに、第２トレイ（７２）の幅方向一端側には、上端（７３Ａ）が第２トレイ（７２）より高く、かつ、第２端部（Ｅ２）側から第１端部（Ｅ１）側に向けて延びた第１壁部であって、第１トレイ（７１）に対して不動な第１壁部（７３）が設けられていることを特徴とする。
【０００９】
つまり、本発明では、第１壁部（７３）は、その上端（７３Ａ）が第２トレイ（７２）より高く、かつ、第２端部（Ｅ２）側から第１端部（Ｅ１）側まで延びている。したがって、第１壁部（７３）を第２トレイ（７２）に載置されたシートの斜行を抑制するガイド部材として機能させることができる。
【００１０】
因みに、「幅方向」とは、搬送されるシートの搬送方向、及びシートの厚み方向と直交する方向と略平行な方向である。
因みに、上記各手段等の括弧内の符号は、後述する実施形態に記載の具体的手段等との対応関係を示す一例であり、本発明は上記各手段等の括弧内の符号に示された具体的手段等に限定されるものではない。
【図面の簡単な説明】
【００１１】
【図１】本発明の実施形態に係る画像形成装置１００の外観斜視図である。
【図２】本発明の実施形態に係る画像形成装置１００において、原稿カバー５が開いた状態を示す外観斜視図である。
【図３】本発明の実施形態に係る搬送部６１の断面図である。
【図４】本発明の実施形態に係る画像読取装置１の外観斜視図である。
【図５】本発明の実施形態に係る画像読取装置１の上面図である。
【図６】図５のＢ−Ｂ断面図である。
【図７】本発明の実施形態に係る画像読取装置１の外観斜視図である。
【図８】図５のＡ−Ａ断面図である。
【図９】図５のＣ−Ｃ断面図である。
【発明を実施するための形態】
【００１２】
以下に説明する「発明の実施形態」は実施形態の一例を示すものである。つまり、特許請求の範囲に記載された発明特定事項等は、下記の実施形態に示された具体的手段や構造等に限定されるものではない。以下、本発明の実施形態に係るシート搬送装置が適用された画像形成装置を図面と共に説明する。
【００１３】
なお、各図に付された方向を示す矢印等は、各図相互の関係を理解し易くするために記載したものであり、本発明は、各図に付された方向に限定されるものではない。また、符号を付して説明した部位や部材等は、「複数」や「２つ以上」等の断りをした場合を除き、少なくとも１つ設けられている。
【００１４】
１．画像形成装置の概要
本実施形態に係る画像形成装置１００は、図１に示すように、画像読取装置１と画像形成部５０とが一体化されている。画像形成部５０は筐体５３内に収納されている。筐体５３の上部にはジョイントカバー５３Ａが設けられている。ジョイントカバー５３Ａは、画像読取装置１と画像形成部５０側とを空間５３Ｂを隔てて接続する。
【００１５】
画像形成部５０はシートに画像を形成する。そして、画像形成部５０にて画像形成が終了したシートは、空間５３Ｂに排出された後、筐体５３の上面に設けられた排出トレイ５５に載置される。なお、本実施形態に係る画像形成部５０は、現像剤をシートに転写して画像をシートに形成する電子写真方式である。
【００１６】
２．画像読取装置の概要
画像読取装置１は、搬送原稿読取機能、及び載置原稿読取機能を兼ね備えている。搬送原稿読取機能は、搬送される原稿を読み取る機能である。載置原稿読取機能は、図２に示す原稿台３の載置面３Ａに載置される原稿を読み取る機能である。
【００１７】
原稿台３の載置面３Ａには、ガラスやアクリル等の透明なプラテンにて閉塞された第１読取窓３Ｂが設けられている。原稿台３の上面側には、複数のヒンジ機構５Ａ、５Ｂを介して原稿カバー５が組み付けられている。
【００１８】
各ヒンジ機構５Ａ、５Ｂは、ねじ５Ｃにより原稿台３に固定されている。原稿カバー５は、図１に示す原稿台３を覆う位置と、図２に示す原稿台３から離間した位置との間で揺動変位できる。原稿カバー５は第１原稿押さえ５Ｄを有する。第１原稿押さえ５Ｄは原稿台３を覆う位置において第１読取窓３Ｂに対向する。なお、載置原稿読取機能を用いて原稿読取を行う場合には、利用者が手動操作にて原稿カバー５を上方側に開いて載置面３Ａに原稿を載置する必要がある。
【００１９】
載置面３Ａの下方側には、当該載置面３Ａに沿って移動する撮像部７が設けられている。撮像部７は、原稿に照射されて反射した光を受光し、その受光した光に基づいて電気信号を発する。載置原稿読取機能の作動時には、撮像部７は、載置面３Ａに沿って移動しながら第１読取窓３Ｂを通して画像を読み取る。そして、画像読取装置１は、撮像部７を介して原稿に記載された文字等の画像を電気信号に変換して画像を読み取っていく。
【００２０】
因みに、本実施形態では、撮像部７として、ＣＩＳ（Contact Image Sensor）を用いている。このＣＩＳ（撮像部７）の長手方向は、載置面３Ａの直下において、その移動方向と直交する方向に延びている。
【００２１】
撮像部７は、載置面３Ａの長手方向に移動可能として原稿台３に組み付けられている。移動機構９は、第１ポジションと第２ポジションとの間で撮像部７を移動させる。第１ポジションは、撮像部７の移動方向一端側に設定されたポジションである。第２ポジションは、当該移動方向他端側に設定されたポジションである。
【００２２】
因みに、本実施形態における「載置面３Ａの長手方向」は、画像読取装置１の左右方向と一致する。そして、第１ポジションは当該移動方向左端側である。第２ポジションは、当該移動方向右端側である。
【００２３】
搬送原稿読取機能の作動時には、撮像部７は、第２読取窓３Ｃの直下に停止配置された状態で第２読取窓３Ｃを通して画像を読み取る。載置原稿読取機能作動時には、撮像部７は、載置面３Ａの直下で移動しながら画像を読み込んでいく。
【００２４】
なお、第２読取窓３Ｃも、第１読取窓、つまり載置面３Ａと同様に、ガラス等の透明なプラテンで閉塞されている。載置面３Ａと第２読取窓３Ｃとは、梁状の区画部材３Ｄにて区画されている。原稿カバー５は第２原稿押さえ５Ｅを有する。第２原稿押さえ５Ｅは原稿台３を覆う位置において第２読取窓３Ｃに対向する。
【００２５】
また、原稿カバー５には、図３に示すように、本発明を適用した搬送機構６０が設けられている。この搬送機構６０は、搬送原稿読取機能の作動時に、第２読取窓３Ｃに原稿を搬送するオートドキュメントフィーダの一例である。
【００２６】
本実施形態では、１つの駆動源にて移動機構９及び搬送機構６０を駆動している。つまり、電動モータ等の駆動源で発生した駆動力は、伝達機構により選択的に移動機構９又は搬送機構６０に伝達される。なお、伝達機構及び駆動源は、図示されていない。当該伝達機構及び駆動源は、原稿台３内のうち載置面３Ａより下側に配置されている。
【００２７】
３．搬送機構
搬送機構６０は、第１トレイ７１、第２トレイ７２及び搬送部６１等を備えている。第１トレイ７１は、いわゆる「原稿トレイ」に相当する。第２トレイ７２は、いわゆる「排紙トレイ」に相当する。
【００２８】
つまり、搬送部６１は、第１トレイ７１に積層載置された１枚又は複数枚の原稿を１枚ずつ順次、第２読取窓３Ｃに搬送するとともに、読み取りが完了した原稿を順次、第２トレイ７２に排出する。
【００２９】
そして、搬送部６１は、第１トレイ７１に対して搬送方向前進側にずれた位置に設けられている。このため、第１トレイ７１は、搬送部６１の入口部に隣接している。第２トレイ７２は、搬送部６１の出口部に隣接している。
【００３０】
搬送部６１は、吸引ローラ６１Ａ、分離ローラ６１Ｂ、分離ローラ６１Ｂの上方に配置された分離パッド（図示せず。）、搬送ローラ６３及び排出ローラ６１Ｃ等を有して構成されている。吸引ローラ６１Ａは、第１トレイ７１に載置されている原稿を分離ローラ６１Ｂ側に送り出す。
【００３１】
分離ローラ６１Ｂは、２枚以上の原稿が重なった状態で送られてきたときに、分離パッドと協働して重なったシートを下面のシートから順に１枚ずつに分離して第２読取窓３Ｃ側に送り出す。搬送ローラ６３は、第２読取窓３Ｃを通過した原稿に接触して回転する。
【００３２】
搬送ローラ６３から搬送力が付与された原稿は、案内部材６５にて搬送方向が転向された後、排出ローラ６１Ｃにより第２トレイ７２側に搬送される。搬送された原稿は、第２トレイ７２上に後から送られた原稿が下に潜り込んで載置される。案内部材６５は、原稿の搬送を案内する案内部材であって、原稿の搬送路６５Ａを構成する搬送シュートである。
【００３３】
搬送ローラ６３と対向する位置には、ピンチローラ６３Ａが配設されている。ピンチローラ６３Ａは、搬送される原稿を搬送ローラ６３に押し付ける。ピンチローラ６３Ａは、搬送ローラ６３に対して離接方向に変位可能に支持されている。離接方向とは、搬送ローラ６３の回転中心線及びピンチローラ６３Ａの回転中心線と直交する方向と略平行な方向である。
【００３４】
第１トレイ７１及び第２トレイ７２は、読取対象となるシート、つまり原稿が載置可能である。第２トレイ７２は、図４に示すように、第１トレイ７１に対して予め設定された所定寸法の空間を隔てて第１トレイ７１の上方側に設けられている。なお、当該所定寸法は、第１トレイ７１に載置可能なシートの枚数に基づいて予め設定された寸法である。
【００３５】
また、第２トレイ７２は、図５に示すように、一端側トレイ部７２Ａ及び他端側トレイ部７２Ｂを有している。一端側トレイ部７２Ａは幅方向一端側に位置する。他端側トレイ部７２Ｂは、幅方向において、一端側トレイ部７２Ａと離間して幅方向他端側に位置する。
【００３６】
つまり、一端側トレイ部７２Ａと他端側トレイ部７２Ｂとの間には、空間が存在する。したがって、第１トレイ７１の幅方向中央部のうち搬送部６１側は、第２トレイ７２で覆われていない開放された構成となる。以下、特に断り書きがある場合を除き、第２トレイ７２とは、一端側トレイ部７２Ａ及び他端側トレイ部７２Ｂを意味する。
【００３７】
なお、幅方向とは、シートの搬送方向及び第１トレイ７１に載置されたシートの厚み方向と直交する方向いう。本実施形態係る幅方向は、原稿台３の前後方向と一致する。そして、幅方向一端は、後方側の端部に相当する。幅方向他端は、前方側の端部に相当する。
【００３８】
第２トレイ７２のうちシート搬送方向と平行な部位の寸法Ｌ２は、図４に示すように、第１トレイ７１のうちシート搬送方向と平行な部位の寸法Ｌ１より小さい寸法である。
換言すれば、第１トレイ７１の端部のうち搬送部６１と反対側の端部を第１端部Ｅ１とし、かつ、第２トレイ７２の端部のうち搬送部６１と反対側の端部を第２端部Ｅ２としたとき、第２端部Ｅ２は、第１端部Ｅ１より搬送部６１側に位置している。
【００３９】
第１トレイ７１は、図６に示すように、搬送部６１の入口部から第１端部Ｅ１まで滑らかに連続し、かつ、第１端部Ｅ１に近づくほど高くなっている。そして、第１端部Ｅ１は、第２端部Ｅ２より高くなっている。第２トレイ７２は、搬送部６１の入口部から第２端部Ｅ２まで滑らかに連続し、かつ、第２端部Ｅ２に近づくほど高くなっている。
【００４０】
第２トレイ７２の幅方向一端側には、図４に示すように、第１壁部７３が設けられている。第１壁部７３は、第１トレイ７１に対して不動であって、かつ、その上端７３Ａが第２トレイ７２より高い壁面７３Ｂを有している。
【００４１】
壁面７３Ｂは、図８に示すように、第２トレイ７２の載置面７２Ｃと直交する方向、つまり鉛直方向と略平行な壁面である。そして、第２トレイ７２の一部、つまり一端側トレイ部７２Ａと第１壁部７３とは、樹脂にて一体成形されている。
【００４２】
第１壁部７３、つまり壁面７３Ｂは、図６に示すように、帯平板状であって、第２端部Ｅ２側から第１端部Ｅ１側に向けている。すなわち、壁面７３Ｂは、搬送部６１側から少なくとも第１位置Ｐ１まで延びている。
【００４３】
なお、第１位置Ｐ１とは、第１トレイ７１の第１端部Ｅ１側のうち、第２端部Ｅ２と同一高さの位置をいう。そして、本実施形態に係る壁面７３Ｂは、第１位置Ｐ１を超えて第１端部Ｅ１まで延びている。
【００４４】
第１壁部７３の上端７３Ａは、図４に示すように、上面カバー７５の上端面７５Ａと連なっている。上端面７５Ａは、壁面７３Ｂと略直交する面である。そして、上端面７５Ａは、搬送部６１の上方側を覆うカバー６０Ａの覆い面６０Ｂと同じ高さとなっている。つまり、覆い面６０Ｂと上面カバー７５とは、面一となっている。なお、本実施形態では、上面カバー７５と第１壁部７３とは、樹脂にて一体成形されている。
【００４５】
第１トレイ７１の幅方向他端側、つまり第１トレイ７１の前方側には、図７に示すように、第１トレイ７１に対して幅方向に移動可能な第１案内部７７が設けられている。第１案内部７７は、第１トレイ７１に載置されるシートの幅方向他端部に接触して当該シートの斜行を抑制する。
【００４６】
第１案内部７７の上部には、図８に示すように、他端側トレイ部７２Ｂ及び第２案内部７９が設けられている。第２案内部７９は、第２トレイ７２に載置されるシートの幅方向他端部に接触して当該シートの斜行を抑制する。第２案内部７９の高さは、第１壁部７３の上端７３Ａと略同じである。
【００４７】
第１案内部７７、他端側トレイ部７２Ｂ及び第２案内部７９は一体化されている。このため、他端側トレイ部７２Ｂ及び第２案内部７９は、第１案内部７７と一体的に移動する。本実施形態では、第１案内部７７、他端側トレイ部７２Ｂ及び第２案内部７９は、樹脂にて一体成形されて一体化されている。
【００４８】
第２案内部７９と前面パネル８０側との間には、隙間８０Ａが設けられている。このため、利用者は、他端側トレイ部７２Ｂを移動させる際に、隙間８０Ａに指を挿入又は引っかけることができる。つまり、第２案内部７９を構成する壁部は、他端側トレイ部７２Ｂを移動させる際の摘み部として機能し得る。
【００４９】
そして、第２案内部７９は、第１案内部７７より幅方向外側に位置している。換言すれば、原稿トレイである第１トレイ７１に設けられた第１案内部７７は、排紙トレイである第２トレイ７２に設けられた第２案内部７９より幅方向中央側に位置している。つまり、幅方向中央から第２案内部７９までの寸法Ｗ２は、幅方向中央から第１案内部７７までの寸法Ｗ１より大きい。
【００５０】
第１トレイ７１の幅方向一端側、つまり第１トレイ７１の第１壁部７３側には、図４に示すように、第１トレイ７１に対して固定された第３案内部８１が設けられている。第３案内部８１は、鉛直方向に略平行な壁面であって、第１トレイ７１に載置されるシートの幅方向一端部に接触して当該シートの斜行を抑制する。
【００５１】
第３案内部８１は、第１トレイ７１に載置されるシートの搬送方向と平行な方向に沿って、少なくとも第２端部Ｅ２を超えて第１端部Ｅ１側に向けて延びている。なお、本実施形態では、第２端部Ｅ２よりも搬送部６１側にも第３案内部８１が設けられている。
【００５２】
つまり、本実施形態に係る第３案内部８１は、搬送部６１の入口部側から第２端部Ｅ２を超えて第１端部Ｅ１側に向けて延びている。なお、本実施形態に係る第３案内部８１は、樹脂にて第１トレイ７１と共に一体成形されて第１トレイ７１に固定されている。
【００５３】
そして、第３案内部８１は、第１壁部７３より幅方向中央側に設けられている。すなわち、第１壁部７３は、図８に示すように、第３案内部８１より幅方向外側に位置している。換言すれば、原稿トレイである第１トレイ７１に設けられた第３案内部８１は、排紙トレイである第２トレイ７２側に設けられた第１壁部７３より幅方向中央側に位置している。
【００５４】
このため、幅方向中央から第１壁部７３までの寸法Ｗ４は、幅方向中央から第３案内部８１までの寸法Ｗ３より大きくなる。したがって、本実施形態では、排紙トレイである第２トレイ７２の幅寸法（＝Ｗ２＋Ｗ４）は、原稿トレイである第１トレイ７１の幅寸法（＝Ｗ１＋Ｗ３）より大きくなる。
【００５５】
第１壁部７３の壁面７３Ｂと第２トレイ７２の載置面７２Ｃとは、隙間無く連続している。「隙間無く連続している」とは、文字通り、隙間が無い場合は勿論のこと、壁面７３Ｂと載置面７２Ｃとの間に、シートが挟み込むことがない程度の隙間がある場合も含む意味である。また、第１壁部７３と第２トレイ７２とが一体であるか否かも不問である。
【００５６】
第１トレイ７１の幅方向端部のうち第１案内部７７と同一側の端部、つまり他端側トレイ部７２Ｂ側の端部７１Ａには、図７に示すように、第２壁部７１Ｂが設けられている。第２壁部７１Ｂは、第１案内部７７に対して第１端部Ｅ１側にずれた位置であって、上記端部７１Ａから幅方向中央側に設けられている。
【００５７】
第２壁部７１Ｂは、端部７１Ａから幅方向中央側に突出した突起部７１Ｃの先端面であって、第３案内部８１と平行な面である。突起部７１Ｃの高さは第２端部Ｅ２より低くなっている。突起部７１Ｃ及び端部７１Ａは、上面カバー７５と共に樹脂にて一体成形されている。
【００５８】
なお、第１壁部７３、第２壁部７１Ｂ、第１案内部７７、第２案内部７９及び第３案内部８１は、互いに平行な面である。そして、第１案内部７７及び第２案内部７９は、上記平行な関係を維持しながら他端側トレイ部７２Ｂと共に幅方向に変位できる。
【００５９】
幅方向において第１壁部７３を挟んで第１トレイ７１と反対には、つまり、第１壁部７３よりも後方側には、図９に示すように、電気線８３が配設されている。電気線８３は、図８に示すように、第１壁部７３よりも後方側であって、上面カバー７５により覆われた空間に配設されている。
【００６０】
電気線８３は、例えば、第１トレイ７１にシートが載置されているか否か検出するセンサ等から出力される電気信号を制御部（図示せず。）に伝達する。制御部は、上記した駆動源の正転、逆転及び停止等を制御する。
【００６１】
制御部は、ＣＰＵ、ＲＯＭ及びＲＡＭ等を有するマイクロコンピュータにて構成されている。駆動源の作動を制御するためのプログラムや必要な定数等は、ＲＯＭ等の不揮発性記憶部に記憶されている。そして、ＣＰＵは、不揮発性記憶部からプログラムを読み込んで制御部を機能させる。
【００６２】
４．本実施形態に係る画像読取装置の特徴
本実施形態では、第１壁部７３は、その上端７３Ａが第２トレイ７２より高く、かつ、第２端部Ｅ２側から第１端部Ｅ１側に向けて延びている。したがって、第１壁部７３を第２トレイ７２に載置されたシートの斜行を抑制するガイド部材として機能させることができる。
【００６３】
また、本実施形態では、第１トレイ７１は第１端部Ｅ１に近づくほど高くなっている。そして、第１壁部７３は、少なくとも第２端部Ｅ２側から第１位置Ｐ１側までは延びていることを特徴としている。
【００６４】
これにより、本実施形態では、第１トレイ７１を原稿トレイとして利用した本実施形態においては、利用者は容易にシートを載置できる。また、仮に、第１トレイ７１を排出トレイとして利用した場合には、利用者は容易にシートを取り出すことができる。
【００６５】
また、本実施形態では、第１トレイ７１に対して幅方向に移動可能な第１案内部７７を備え、第１案内部７７の上部には、第２トレイ７２の少なくとも一部が一体化されていることを特徴としている。
【００６６】
これにより、本実施形態では、シートの斜行を抑制しながら、異なるサイズのシートを搬送することができる。
ところで、搬送部６１から排出されるシートは、搬送部６１に吸引されるシートに比べて大きく斜行する場合がある。
【００６７】
これに対して、本実施形態では、排紙トレイである第２トレイ７２側に設けられた第２案内部７９は、原稿トレイである第１トレイ７１側に設けられた第１案内部７７より幅方向外側に位置していることを特徴としている。
【００６８】
これにより、本実施形態では、搬送部６１から排出されるシートが大きく斜行した場合であっても、シートと第２案内部７９等とが干渉して搬送不良が生じることを抑制でき、かつ、シートの斜行を抑制できる。
【００６９】
また、本実施形態では、第１案内部７７に対して第１端部Ｅ１側にずれた位置であって、第１トレイ７１の幅方向端部のうち第１案内部７７と同一側の端部には、当該端部７１Ａから幅方向中央側に突出した第２壁部７１Ｂが設けられていることを特徴としている。
【００７０】
これにより、本実施形態では、第１案内部７７と第２壁部７１Ｂとが協働してシートの斜行を抑制する。したがって、仮に、第１案内部７７がシートの搬送方向の長さよりも短い場合であってもシートの斜行を確実に抑制できる。
【００７１】
また、本実施形態では、第１トレイ７１に対して固定された第３案内部８１を備え、かつ、第３案内部８１は、第１壁部７３より幅方向中央側に設けられていることを特徴としている。
【００７２】
これにより、本実施形態では、第１トレイ７１に載置されるシートは、第３案内部８１により斜行が抑制される。延いては、当該シートが第１壁部７３と衝突して搬送不良が生じることを抑制できる。
【００７３】
また、本実施形態では、第３案内部８１は、第１トレイ７１に載置されるシートの搬送方向と平行な方向に沿って、少なくとも第２端部Ｅ２を超えて第１端部Ｅ１側まで延びていることを特徴としている。
【００７４】
これにより、本実施形態では、第１トレイ７１に載置されるシートが第１壁部７３と衝突して搬送不良が生じることを確実に抑制できる。
また、本実施形態では、第１壁部７３の壁面７３Ｂと第２トレイ７２の載置面７２Ｃとは、隙間無く連続していることを特徴としている。これにより、本実施形態では、シートの搬送不良を確実に抑制できる。
【００７５】
また、本実施形態では、第２トレイ７２は、幅方向一端側に位置する一端側トレイ部７２Ａ、及び一端側トレイ部７２Ａと離間して幅方向他端側に位置する他端側トレイ部７２Ｂを有していることを特徴としている。
【００７６】
これにより、本実施形態では、第１トレイ７１のうち幅方向中央部は、第２トレイ７２で覆われておらず開放された構成となる。したがって、利用者は、第１トレイ７１に載置されたシートを容易に視認できる。
【００７７】
また、本実施形態では、第１壁部７３の壁面７３Ｂは、第２端部Ｅ２側から第１端部Ｅ１側まで延びた平面状であることを特徴としている。これにより、本実施形態では、第２トレイ７２に載置されるシートの斜行を確実に抑制できる。
【００７８】
また、本実施形態では、搬送部６１の上方側を覆うカバー６０Ａの覆い面６０Ｂと第１壁部７３の上端に連なる上端面７５Ａとは同じ高さであることを特徴としている。
これにより、本実施形態では、覆い面６０Ｂと上端面７５Ａとが面一となる。つまり、シート搬送装置の上面を平面状となる。さらに、シート搬送装置の上下方向寸法が大型化することを抑制できる。
【００７９】
また、本実施形態では、幅方向において、第１壁部７３を挟んで第１トレイ７１と反対には、電気線８３が配設されていることを特徴としている。これにより、本実施形態では、電気線８３を配設するスペースを新たに確保する必要がない。
【００８０】
また、本実施形態では、第１トレイ７１の上側に設けられた第２トレイ７２の少なくとも一部が第１壁部７３と一体化されていることを特徴としている。したがって、本実施形態では、第２トレイ７２の剛性を高めることができる。
【００８１】
また、本実施形態では、第１壁部７３のうち、少なくとも第２トレイ７２と一体成形された部分の上端７３Ａは、第２トレイ７２より高いことを特徴としている。
これにより、本実施形態では、第１壁部７３を第２トレイ７２に載置されたシートの斜行を抑制するガイド部材として機能させることができる。
【００８２】
また、本実施形態では、上部に他端側トレイ部７２Ｂが一体化された第１案内部７７を備えることを特徴としている。これにより、本実施形態では、異なるサイズのシートを搬送することができる。
【００８３】
（その他の実施形態）
上述の実施形態では、第１トレイ７１から第２トレイ７２にシートが搬送される構成であったが、本発明はこれに限定されるものではなく、第２トレイ７２から第１トレイ７１にシートが搬送される構成であってもよい。
【００８４】
また、上述の実施形態では、第１壁部７３は、第１端部Ｅ１まで延びていたが、本発明はこれに限定されるものではなく、本発明は、少なくとも第２端部Ｅ２側から第１位置Ｐ１側までは延びていれば十分である。
【００８５】
また、上述の実施形態では、第２トレイ７２に第１案内部７７が一体化されていたが、本発明はこれに限定されるものではなく、例えば、第１案内部７７を廃止し、第２壁部７１Ｂにてシートの搬送を案内する構成としてもよい。
【００８６】
また、上述の実施形態では、第２案内部７９は、第１案内部７７より幅方向外側に位置していたが、本発明はこれに限定されるものではなく、例えば、第１案内部７７と第２案内部７９とを幅方向において、同一の位置に設けてもよい。特に、第２トレイ７２から第１トレイ７１にシートが搬送される構成とした場合には、第１案内部７７を第２案内部７９より幅方向外側に設けることが望ましい。
【００８７】
また、上述の実施形態では、第２壁部７１Ｂを設けたが、本発明はこれに限定されるものではなく、例えば、第２壁部７１Ｂを廃止し、第１案内部７７を第１端部Ｅ１側に延長してもよい。
【００８８】
また、上述の実施形態では、第１トレイ７１に対して固定された第３案内部８１が第１壁部７３より幅方向中央側に設けられていたが、本発明はこれに限定されるものではない。
【００８９】
具体的には、第３案内部８１を廃止し、第１壁部７３を第３案内部８１として利用してもよい。つまり、第２トレイ７２の幅寸法（＝Ｗ２＋Ｗ４）と第１トレイ７１の幅寸法（＝Ｗ１＋Ｗ３）とを同一寸法としてもよい。
【００９０】
また、上述の実施形態に係る第３案内部８１は、搬送部６１の入口部側から第２端部Ｅ２を超えて第１端部Ｅ１側に向けて延びていたが、本発明はこれに限定されるものではなく、第３案内部８１は、少なくとも第２端部Ｅ２を超えて第１端部Ｅ１側に向けて延びていればよい。
【００９１】
また、上述の実施形態では、第１壁部７３の壁面７３Ｂと第２トレイ７２の載置面７２Ｃとは、隙間無く連続していたが、本発明はこれに限定されるものではない。
また、上述の実施形態に係る第２トレイ７２は、一端側トレイ部７２Ａ及び他端側トレイ部７２Ｂにより構成されていたが、本発明はこれに限定されるものではなく、例えば、幅方向中央に空間が無い構成の第２トレイ７２であってもよい。
【００９２】
また、上述の実施形態では、第１壁部７３の壁面７３Ｂは、第２端部Ｅ２側から第１端部Ｅ１側まで延びた平面状であったが、本発明はこれに限定されるものではなく、例えば、第１端部Ｅ１側に向かうほど、第１トレイ７１の幅寸法が拡大するように湾曲した曲面にて壁面７３Ｂを構成してもよい。
【００９３】
また、上述の実施形態では、覆い面６０Ｂと第１壁部７３の上端に連なる上端面７５Ａとは同じ高さであったが、本発明はこれに限定されるものではなく、例えば、覆い面６０Ｂと上端面７５Ａとの間で高低差があってもよい。
【００９４】
また、上述の実施形態では、第１壁部７３を挟んで第１トレイ７１と反対に電気線８３が配設されていたが、本発明はこれに限定されるものではなく、例えば、端部７１Ａを挟んで第１トレイ７１と反対に電気線８３を配設してもよい。
【００９５】
また、上述の実施形態では、画像形成部５０は電子写真方式であったが、本発明はこれに限定されるものではなく、例えばインクジェット方式の画像形成部５０であってもよい。
【００９６】
また、上述の実施形態では、画像読取装置１及び画像形成部５０を備える画像形成装置１００に適用したが、本発明の適用はこれに限定されるものではなく、例えば、画像読取装置単体であってもよい。
【００９７】
また、上述の実施形態では、画像読み取り装置１に用いるオートドキュメントフィーダに本発明を適用したが、本発明の適用はこれに限定されるものではなく、画像形成部５０にシートを搬送するシート搬送装置にも適用できる。
【００９８】
また、本発明は、特許請求の範囲に記載された発明の趣旨に合致するものであればよく、上述の実施形態に限定されるものではない。
【符号の説明】
【００９９】
１… 画像読取装置  ３… 原稿台  ３Ａ… 載置面  ３Ｂ… プラテン
３Ｃ… 第２読取窓  ３Ｄ… 区画部材  ５… 原稿カバー  ７… 撮像部
９… 移動機構  ５０… 画像形成部  ５３… 筐体  ５３Ａ… ジョイントカバー
５３Ｂ… 空間  ５５… 排出トレイ  ６０… 搬送機構  ６１… 搬送部
６１Ａ… 吸引ローラ  ６１Ｂ… 分離ローラ  ６１Ｃ… 排出ローラ
６３… 搬送ローラ  ６３Ａ… ピンチローラ  ６５… 案内部材  ６５Ａ… 搬送路
７１… 第１トレイ  ７１Ａ… 端部  ７１Ｂ… 第２壁部  ７１Ｃ… 突起部
７２… 第２トレイ  ７２Ａ… 一端側トレイ部  ７２Ｂ… 他端側トレイ部
７２Ｃ… 載置面  ７３Ａ… 上端  ７３… 第１壁部  ７３Ｂ… 壁面
７５… 上面カバー  ７５Ａ… 上端面  ７７… 第１案内部  ７９… 第２案内部
８１… 第３案内部  ８３… 電気線  １００… 画像形成装置
【図１】
2014148374.tif 000003
【図２】
2014148374.tif 000004
【図３】
2014148374.tif 000005
【図４】
2014148374.tif 000006
【図５】
2014148374.tif 000007
【図６】
2014148374.tif 000008
【図７】
2014148374.tif 000009
【図８】
2014148374.tif 000010
【図９】
2014148374.tif 000011